(57)【要約】【課題】  菱形金網の端部加工を、コストがかかるカール加工に代えて水平ナックル加工とすることによってコストを削減することができ、しかも、水平ナックル加工された菱形金網であっても胴縁から外れにくい菱形金網用胴縁およびこの胴縁を用いた菱形金網フェンスを提供する。【解決手段】  菱形金網１の水平ナックル加工された端部１Ａに取り付けられる胴縁において、端部１Ａに嵌め込まれるスパイラル線２と、スパイラル線２が挿入される胴縁本体としてのパイプ３とから構成される。【選択図】  図２
2006283495.tif 000002
【特許請求の範囲】
【請求項１】
菱形金網のナックル加工された端部に取り付けられる胴縁において、前記端部に嵌め込まれるスパイラル線と、前記スパイラル線が挿入される胴縁本体としてのパイプとから構成されることを特徴とする菱形金網用胴縁。
【請求項２】
前記スパイラル線は、円形リング状をなし、前記パイプは、円形または角形パイプからなり、前記パイプの軸線方向には、前記菱形金網の端部が挿入されるスリットが形成されていることを特徴とする、請求項１記載の菱形金網用胴縁。
【請求項３】
請求項１または２記載の胴縁に菱形金網が取り付けられていることを特徴とする菱形金網フェンス。
【発明の詳細な説明】
【技術分野】
【０００１】
この発明は、菱形金網用胴縁および菱形金網フェンス、特に、菱形金網フェンスを容易且つ安価に構築することができる菱形金網用胴縁およびこの胴縁により構築されたフェンスに関するものである。
【背景技術】
【０００２】
従来、アングル鋼からなる胴縁を有する菱形金網フェンスは、菱形金網と胴縁との取り付け部分を示す正面図である図３、および、図３のＡ方向視図である図４に示すように、断面形状ハット形の支柱（図示せず）と、この支柱間に固定された、上下端にアングル鋼からなる胴縁４が取り付けられた菱形金網５とからなっている。胴縁４は、水平ナックル加工（または後述する完全ナックル加工）された菱形金網５の端部５Ａに挿通した鉄線６を、胴縁４の垂直部４Ａに形成された爪７に引っ掛けることによって菱形金網５に取り付けられている。
【０００３】
胴縁４の垂直部４Ａは、前記支柱のリップ部に形成された爪（何れも図示せず）内に挿入され、胴縁４の水平部４Ｂは、前記支柱の山部に挿通されたボルトにより固定金具（何れも図示せず）を介して固定されている。
【０００４】
図３および図４には、上胴縁のみが示されているが、下胴縁についてもその固定構造は、上胴縁と基本的に同じである。
【発明の開示】
【発明が解決しようとする課題】
【０００５】
このように構成されている菱形金網フェンスは、構造が簡単である等の理由によって広範囲に普及しているが、菱形金網５は、その端部５Ａに挿通した鉄線６を、胴縁４の垂直部４Ａに形成された爪７に引っ掛けることによって胴縁４に取り付けられているので、胴縁４から外れやすいといった問題があった。
【０００６】
そこで、近年、菱形金網５を胴縁４から外れ難くし、しかも、美観に優れた菱形金網フェンスとして、図５に示すように、菱形金網５の端部５Ｂを円形状にカールさせ、図６および図７に示すように、カール加工した菱形金網５の端部５Ｂに、スリット８Ａが形成された円形パイプ８を挿入して、菱形金網５を胴縁としての円形パイプ８に取り付けたものが提案されている。以下、これを従来菱形金網フェンスという。
【０００７】
しかしながら、上記従来菱形金網フェンスは、菱形金網５の端部５Ｂのカール加工にコストがかかり、しかも、菱形金網５を折り畳んだ状態から広げる際に、端部５Ｂ同士が引っ掛かり、施工に支障を来たすといった問題があった。
【０００８】
従って、この発明の目的は、菱形金網の端部加工を、コストがかかるカール加工に代えて水平あるいは完全ナックル加工とすることによってコストを削減し、しかも、このように加工された菱形金網端部にパイプを挿入することによって、ナックル加工された菱形金網であっても胴縁から外れにくい菱形金網用胴縁およびこの胴縁を用いた菱形金網フェンスを提供することにある。
【課題を解決するための手段】
【０００９】
この発明は、上記目的を達成するためになされたものであって、下記を特徴とするものである。
【００１０】
請求項１記載の発明は、菱形金網のナックル加工された端部に取り付けられる胴縁において、前記端部に嵌め込まれるスパイラル線と、前記スパイラル線が挿入される胴縁本体としてのパイプとから構成されることに特徴を有するものである。
【００１１】
請求項２記載の発明は、請求項１記載の発明において、スパイラル線は、円形リング状をなし、パイプは、円形または角形パイプからなり、パイプの軸線方向には、菱形金網の端部が挿入されるスリットが形成されていることに特徴を有するものである。
【００１２】
請求項３記載の発明は、請求項１または２記載の胴縁に菱形金網が取り付けられていることに特徴を有するものである。
【発明の効果】
【００１３】
この発明によれば、菱形金網の端部加工を、コストがかかるカール加工に代えてナックル加工とすることによってコストを削減することができ、しかも、ナックル加工された菱形金網であっても胴縁から外れにくい菱形金網用胴縁およびこの胴縁を用いた菱形金網フェンスを提供することができる。
【発明を実施するための最良の形態】
【００１４】
この発明の菱形金網用胴縁の一実施態様を、図面を参照しながら説明する。
【００１５】
図１は、この発明の菱形金網用胴縁の組み立て方法を示す正面図、図２は、この発明の菱形金網フェンスを示す部分省略側面図である。
【００１６】
図１および図２に示すように、この発明の菱形金網用胴縁は、菱形金網１のナックル加工された端部１Ａに嵌め込まれるスパイラル線２と、スパイラル線２が挿入される胴縁本体としてのパイプ３とから構成されている。なお、菱形金網１のナックル加工には、図中実線で示すように、金網の端部を水平に折り曲げる水平ナックル加工以外に、図中破線で示すように、金網の端部を下方まで折り曲げる完全ナックル加工があるが、何れであっても良い。
【００１７】
スパイラル線２は、円形リング状をなし、胴縁本体としてのパイプ３は、円形パイプからなり、このパイプ３の軸線方向には、菱形金網１の端部１Ａが挿入されるスリット３Ａが形成されている。なお、パイプ３は、円形パイプ以外に角形等であっても良い。すなわち、一部開放された断面を有するパイプなら何れでも良い。
【００１８】
この胴縁を組み立てるには、図１に示すように、スパイラル線２内に菱形金網１の端部１Ａの一端を差し込み、スパイラル線２を回転させながら菱形金網１の端部１Ａに沿って送り込む。このようにして、スパイラル線２を菱形金網１の端部１Ａに嵌め込んだら、図２に示すように、スパイラル線２の外側に胴縁本体としてのパイプ３をスリット３Ａに沿って挿入する。これによって菱形金網用胴縁が組み立てられる。
【００１９】
上記菱形金網用胴縁が取り付けられた菱形金網によりフェンスを構築するには、例えば、円形パイプからなる支柱間に、従来公知の固定金具を介して胴縁を固定すれば良い。
【００２０】
以上のように、この発明によれば、菱形金網１の端部１Ａの加工を、コストがかかるカール加工に代えて水平あるいは完全ナックル加工とすることによってコストを削減することができる。しかも、ナックル加工された菱形金網１であっても、スパイラル線２を端部１Ａに嵌め込むことによって、胴縁本体としてのパイプ３から外れにくくなる。
【図面の簡単な説明】
【００２１】
【図１】この発明の菱形金網用胴縁の組み立て方法を示す正面図である。
【図２】この発明の菱形金網フェンスを示す部分省略側面図である。
【図３】アングル鋼からなる胴縁を有する菱形金網フェンスにおける菱形金網と胴縁との取り付け部分を示す正面図である。
【図４】図３のＡ方向視図である。
【図５】端部をカール加工した菱形金網を示す正面図である。
【図６】端部をカール加工した菱形金網の端部に胴縁本体としてのパイプを嵌め込む状態を示す正面図である。
【図７】従来菱形金網フェンスを示す部分省略側面図である。
【符号の説明】
【００２２】
１：菱形金網
１Ａ：端部
２：スパイラル線
３：胴縁本体
３Ａ：スリット
４：胴縁
４Ａ：垂直部
４Ｂ：水平部
５：菱形金網
５Ａ：水平ナックル加工された端部
５Ｂ：カール加工された端部
６：鉄線
７：爪
８：パイプ
【図１】
2006283495.tif 000003
【図２】
2006283495.tif 000004
【図３】
2006283495.tif 000005
【図４】
2006283495.tif 000006
【図５】
2006283495.tif 000007
【図６】
2006283495.tif 000008
【図７】
2006283495.tif 000009